(57)【要約】【課題】  接点反転時の動作速度を速めてアークの発生を抑えると共に、接点の接触圧を高めることによりバウンスを小さくできるスイッチ装置を提供する。【解決手段】  操作軸１６が操作された時、回転軸１５の回動に伴ってバイメタル片１３が第２の回転板１８を介して第１の回転板１７を回動させて一対の接点板２、３をオンさせると共に、ヒーター１４が過熱されて所定の温度に達した時には、バイメタル片１３が変位することにより第２の回転板１８を介して第１の回転板１７を回動させてオン状態の一対の接点板２、３をオフさせるスイッチ装置であって、第１の回転板１７と第２の回転板１８を、反転用の捻りコイルばね１９で連動可能に連結させ、第１の回転板１７を回動させる際に、捻りコイルばね１９の反転力によって接点駆動部１７ｄを接点板２と瞬発的に係脱させるようにした。【選択図】        図１
2005116345.tif 000002
【特許請求の範囲】
【請求項１】
収納部を有するケースと、前記収納部内に配設された少なくとも一対の接点板と、回動可能に配設され前記接点板のうち少なくとも一つを押圧する接点駆動部を有する第１の回転板と、この第１の回転板と連動可能に連結された第２の回転板と、前記第１及び第２の回転板を軸支する回転軸と、前記第２の回転板に係合され、前記回転軸の回動に伴って前記第２の回転板を回動するバイメタル片と、このバイメタル片を加熱するヒーターと、前記回転軸を回動する操作軸とを備え、前記操作軸が操作された時、前記回転軸の回動に伴って前記バイメタル片が前記第２の回転板を介して前記第１の回転板を回動させて一対の前記接点板をオンさせると共に、前記ヒーターが過熱されて所定の温度に達した時には、前記バイメタル片が変位することにより前記第２の回転板を介して前記第１の回転板を回動させてオン状態の一対の前記接点板をオフさせるスイッチ装置であって、前記第１の回転板と前記第２の回転板を、反転用の捻りコイルばねで連動可能に連結させ、前記第１の回転板を回動させる際に、前記捻りコイルばねの反転力によって前記接点駆動部を前記接点板と瞬発的に係脱させるようにしたことを特徴とするスイッチ装置。
【請求項２】
前記第１の回転板には第１係止部を形成し、前記第２の回転板には第２係止部を設け、前記捻りコイルばねを前記第１及び第２係止部に遊びを持たせた状態で係合し、前記第１の回転板が回動する際に前記捻りコイルばねが前記第１及び第２係止部内で遊動することにより前記捻りコイルばねが反転動作を行なうようにしたことを特徴とする請求項１記載のスイッチ装置。
【請求項３】
前記回転軸の回動支点から前記第１の回転板と前記捻りコイルばねとの係止部までの距離を、前記回動支点から前記接点駆動部までの距離よりも長く形成したことを特徴とする請求項２記載のスイッチ装置。
【請求項４】
前記一対の接点板を、可撓性を有するばね材で形成したことを特徴とする請求項１記載のスイッチ装置。
【請求項５】
前記ケースの収納部に、前記接点板を複数配設し、これらの接点板を前記ケースの外方へ導出する複数の外部端子に接続すると共に、これらの外部端子を前記ケースの底面に一列状に配置したことを特徴とする請求項１記載のスイッチ装置。
【発明の詳細な説明】
【技術分野】
【０００１】
本発明は、スイッチ装置に係り、特に電気コンロなどの電気調理器の温度調節部に使用されるスイッチ装置の構造に関する。
【背景技術】
【０００２】
従来のスイッチ装置の構造としては、電気コンロのヒーターを出力制御するのに、加熱サーモバイメタルなどの温度センサを備えた制御群により操作するスイッチ装置が知られている（例えば、特許文献１参照）。
【０００３】
従来のスイッチ装置の構造を図１２、図１３に示す。図１２はスイッチ装置の内部を示す平面図、図１３は要部を示す部分詳細図である。
【０００４】
図において、スイッチ装置１０１は、器具スイッチ１０６を備えた定時式出力制御装置であり、このスイッチ１０６は加熱型サーモバイメタル１１５により操作される。このスイッチ装置１０１はスナップスイッチであり、接点１３６と反対のカウンタストップ１３７の間隔を変えるための調整装置１３９を有している。このカウンタストップ１３７は可動スイッチ接点１３４用のもので、スイッチ装置の設定範囲を変えるために操作される。
【０００５】
すなわち、低設定レンジでは器具スイッチ１０６のスイッチングヒステリシスがさらに小さくなり、より高い設定レンジではスイッチングヒステリシスがより大きくなる。このことから、器具スイッチ１０６では、関連スイッチオン持続時間をより小さな値に正確に設定できる。それにより低設定レンジで非常に精密な出力制御が行なえる。
【０００６】
スイッチ装置１０１は次のように操作される。スイッチオフ位置では、スイッチ接点１３４は接点１３６に非接触で対向しており、カウンタストップ１３７のストップ位置にある。設定スピンドル１０８をスイッチオンレンジ位置にすると、スイッチ接点１３４は閉位置に移る。この閉位置では、スイッチ接点１３４はスイッチ素子１１４とランナー１４６の間に生じるレバー作用により接点１３６に当接する。制御する電気器具は別として、加熱抵抗１１６をスイッチオンする。
【０００７】
加熱抵抗１１６によりサーモバイメタル１１５を加熱すると、スイッチ素子１１４は、補償装置１２０とスパイラルスプリング１１８の当接側に片寄る。つまり、スナップスプリングの圧力プレート上を当接動作方向に片寄るのである。この動作は、双安定スナップスプリング１３１の死点つまりスイッチ点に到達するまでつづき、スナップスプリング１３１が他端位置の方向に弾性的にとび上る。
【０００８】
これにより、スイッチ接点１３４は接点１３６から離れかつカウンタストップ１３７に当接する。スイッチ接点１３４が開くので、加熱抵抗１１６には電流が流れない。それで、サーモバイメタル１１５は再び冷え初期位置にもどる。つまりスナップスプリング１３１の死点がもとにもどり、スナップスプリング１３１が１端位置に向けて弾性的に再び上るのである。それにより、スイッチ接点１３４は閉位置にもどる。
【０００９】
【特許文献１】特許第２６３１３７６号公報
【発明の開示】
【発明が解決しようとする課題】
【００１０】
しかしながら、上述した従来のスイッチ装置においては、スイッチング接点がバイメタルからの力とスナップスプリングからの力とのバランスにより動作する構成であるので、バイメタルの動作速度が遅いことから、スイッチング接点の接続切り換え時にアークが飛び易く、またスイッチング接点の接続切り換わり時には、スイッチング接点を押す力が小さくなっているので、バウンスが出やすいという問題があった。
【００１１】
したがって、本発明では上述した問題点を解決し、接点反転時の動作速度を速めてアークの発生を抑えると共に、接点の反転後には常に必要な荷重を加えることで接点の接触圧を高めることによりバウンスを小さくでき、負荷寿命特性の優れたスイッチ装置を提供することを目的とする。
【課題を解決するための手段】
【００１２】
上記課題を解決するために本発明では第１の解決手段として、収納部を有するケースと、前記収納部内に配設された少なくとも一対の接点板と、回動可能に配設され前記接点板のうち少なくとも一つを押圧する接点駆動部を有する第１の回転板と、この第１の回転板と連動可能に連結された第２の回転板と、前記第１及び第２の回転板を軸支する回転軸と、前記第２の回転板に係合され、前記回転軸の回動に伴って前記第２の回転板を回動するバイメタル片と、このバイメタル片を加熱するヒーターと、前記回転軸を回動する操作軸とを備え、前記操作軸が操作された時、前記回転軸の回動に伴って前記バイメタル片が前記第２の回転板を介して前記第１の回転板を回動させて一対の前記接点板をオンさせると共に、前記ヒーターが過熱されて所定の温度に達した時には、前記バイメタル片が変位することにより前記第２の回転板を介して前記第１の回転板を回動させてオン状態の一対の前記接点板をオフさせるスイッチ装置であって、前記第１の回転板と前記第２の回転板を、反転用の捻りコイルばねで連動可能に連結させ、前記第１の回転板を回動させる際に、前記捻りコイルばねの反転力によって前記接点駆動部を前記接点板と瞬発的に係脱させるようにした構成とした。
【００１３】
また、第２の解決手段として、前記第１の回転板には第１係止部を形成し、前記第２の回転板には第２係止部を設け、前記捻りコイルばねを前記第１及び第２係止部に遊びを持たせた状態で係合し、前記第１の回転板が回動する際に前記捻りコイルばねが前記第１及び第２係止部内で遊動することにより前記捻りコイルばねが反転動作を行なうようにした構成とした。
また、第３の解決手段として、前記回転軸の回動支点から前記第１の回転板と前記捻りコイルばねとの係合部までの距離を、前記回動支点から前記接点駆動部までの距離よりも長く形成した構成とした。
【００１４】
また、第４の解決手段として、前記一対の接点板を、可撓性を有するばね材で形成した構成とした。
また、第５の解決手段として、前記ケースの収納部に、前記接点板を複数配設し、これらの接点板を前記ケースの外方へ導出する複数の外部端子に接続すると共に、これらの外部端子を前記ケースの底面に一列状に配置した構成とした。
【発明の効果】
【００１５】
以上説明したように、本発明のスイッチ装置は、収納部を有するケースと、収納部内に配設された少なくとも一対の接点板と、回動可能に配設され接点板のうち少なくとも一つを押圧する接点駆動部を有する第１の回転板と、第１の回転板と連動可能に連結された第２の回転板と、第１及び第２の回転板を軸支する回転軸と、第２の回転板に係合され、回転軸の回動に伴って第２の回転板を回動するバイメタル片と、バイメタル片を加熱するヒーターと、回転軸を回動する操作軸とを備え、操作軸が操作された時、回転軸の回動に伴ってバイメタル片が第２の回転板を介して第１の回転板を回動させて一対の接点板をオンさせると共に、ヒーターが過熱されて所定の温度に達した時には、バイメタル片が変位することにより第２の回転板を介して第１の回転板を回動させてオン状態の一対の接点板をオフさせるスイッチ装置であって、第１の回転板と第２の回転板を、反転用の捻りコイルばねで連動可能に連結させ、第１の回転板を回動させる際に、捻りコイルばねの反転力によって接点駆動部を接点板と瞬発的に係脱させるようにしたことから、接点の切り換わり時には接点板を駆動する第１の回転板が捻りコイルばねの反転力によって瞬時に回動するので、アークの発生が抑えられ、反転する際、接点に常に高い接触圧を加えることができるため、バウンスを小さくすることができ、接点の消耗などを抑制し負荷寿命特性に優れたスイッチ装置を提供できる。
【００１６】
また、第１の回転板には第１係止部を形成し、第２の回転板には第２係止部を設け、捻りコイルばねを第１及び第２係止部に遊びを持たせた状態で係合し、第１の回転板が回動する際に捻りコイルばねが第１及び第２係止部内で遊動することにより捻りコイルばねが反転動作を行なうようにしたことから、捻りコイルばねの張力上の反転ポイント（死点）を超えた時に、捻りコイルばねが第１及び第２係止部内を自走して捻りコイルばねの作用方向が逆になるため、反転動作を確実に行なえ、接点の切り換えを瞬時に行なうことができる。
また、回転軸の回動支点から第１の回転板と捻りコイルばねとの係合部までの距離を、回動支点から接点駆動部までの距離よりも長く形成したことから、てこの原理を利用することにより、接点へ加わる接触圧を、捻りコイルばねが付勢するばね圧に比べて大きく設定することができる。
【００１７】
また、一対の接点板を、可撓性を有するばね材で形成したことから、接点の切り換え時にはこれらの接点板が撓むので、衝撃を緩和して切り換え時の音を静音化することができる。
また、ケースの収納部に、接点板を複数配設し、これらの接点板をケースの外方へ導出する複数の外部端子に接続すると共に、これらの外部端子をケースの底面に一列状に配置したことから、ハーネスなどの配線時に誤配線の防止や作業性の向上が図れる。また、コネクタなどの接続が可能となり、製品への組立て性の向上が図れる。
【発明を実施するための最良の形態】
【００１８】
以下、本発明のスイッチ装置の実施形態を図１乃至図１１に示す。図１は本発明のスイッチ装置の分解斜視図、図２はスイッチ装置の要部の斜視図、図３はスイッチ装置のオフ時を示す要部平面図、図４はスイッチ装置のオン時を示す要部平面図、図５はスイッチ装置のターンオフ時を示す要部平面図、図６及び図７はスイッチ装置のオン時からターンオフ時に移行する過程で捻りコイルばねが反転する直前を示す動作説明図、図８及び図９はスイッチ装置のオン時からターンオフ時に移行する過程で捻りコイルばねが反転した直後を示す動作説明図、図１０及び図１１はスイッチ装置の裏面側から見た斜視図である。
【００１９】
図において、ケース１は、合成樹脂などの絶縁材で上面開口の箱状に形成されており、収納部１ａを有している。また、ケース１の対向する一対の側面には、凹溝からなる取付け溝１ｂが形成されている。また、前記収納部１ａ内には、導電性の金属板からなる複数の接点板２〜４、及びこれら接点板２〜４の一部と接続された、同じく導電性の金属板からなる複数の端子板５〜９が配設されている。
【００２０】
また、接点板２〜４は可撓性を有する薄板の金属板で形成されており、自らがばね性を有している。このように、接点板２〜４を、可撓性を有するばね材で形成することで、接点の切り換え時にはこれらの接点板２〜４が撓むので、衝撃を緩和して切り換え時の音を静音化することができる。
【００２１】
前記端子板５〜９は、その一端が収納部１ａ内に表出して、収納部１ａの一端側に所定の間隔を保ってそれぞれ並列して配設されている。また、この端子板５〜９の他端側は、ケース１の底面から外方へ突出して外部端子５ａ〜９ａが形成されている。前記端子板５〜９のうち、５及び６にはそれぞれ接点板２及び３が電気的に導通して接続されており、接点板２と３は一定の間隔を保って対向して配設されている。
【００２２】
また、端子板９には接点板４が電気的に導通して接続されており、接点板４と端子板７及び８とが一定の間隔を保って対向して配設されている。すなわち、接点板２及び３と端子板５及び６とで第１のスイッチ部を構成し、接点版４と端子板７〜９とで第２のスイッチ部を構成している。また、初期状態においては、接点板２と３とは電気的に離間しており、同じく接点板４と端子板７及び８とは電気的に離間している。
【００２３】
また、図１０に示すように、前記外部端子５ａ〜９ａは、前記ケース１の外方へ導出すると共に、これらの外部端子５ａ〜９ａはケース１の底面に一列状に配置されている。このように配置したことから、ハーネスなどの配線時に誤配線の防止や作業性の向上が図れるものとなっている。
【００２４】
また、図１１に示すように、ケース１の底面に、外部端子５ａ〜９ａを囲むようにホルダ部１ｃを設けるようにすれば、スイッチ装置へのコネクタなどの接続が可能となり、製品への組立て性の向上が図れるものとなる。
【００２５】
また、前記収納部１ａには、支持端子１０に揺動可能に軸支された揺動部材１１が配設されている、この揺動部材１１は略Ｌ字状に形成されており、軸支部を挟んで一端側には、後述する回転軸１５の回動に伴って駆動される駆動板部１２が設けられている。また、他端側には、先端が略Ｊ字状に屈曲されたバイメタル片１３が設けられ、このバイメタル片１３にはヒーター１４が取付けられている。
【００２６】
回転軸１５は、合成樹脂などの絶縁材で形成され、円柱状の基部１５ａと、この基部１５ａの中央に環状に突出して設けられたカム部１５ｂとを有している。このカム部１５ｂの側面部には、凹凸からなるカム面１５ｄが設けられており、回転軸１５が回動される時、このカム面１５ｄにより揺動部材１１の駆動板部１２が駆動されるものとなる。また、基部１５ａの上面側には外部操作用の操作軸１６が係合される係合溝部１５ｃが設けられており、操作軸１６の回動に伴って回転軸１５も回動するものとなっている。
【００２７】
操作軸１６は、金属材などで棒状に形成され、一端側が前記回転軸１５の係合溝部１５ｃに係合され、他端側に図示しない操作つまみが適宜取り付けられて回転動作されるものとなっている。
【００２８】
第１の回転板１７は、合成樹脂などの絶縁材から略Ｌ字状に形成されており、この第１の回転体１７の中央には、前記回転軸１５に回動可能に挿通される軸孔１７ａが設けられている。この軸孔１７ａを挟んだ一方には矩形状の基板部１７ｂが設けられ、この基板部１７ｂの先端側には後述する捻りコイルばね１９が遊動可能に係止される第１係止部１７ｃが設けられている。
【００２９】
また、軸孔１７ａを挟んで基板部１７ｂの延設方向と直交する方向には、接点駆動部１７ｄが形成されており、第１の回転板１７が後述する第２の回転板１８の回動に連動して回動する時に、この接点駆動部１７ｄの先端が前記第１のスイッチ部を構成する接点板２と当接して接点板２及び３の開閉を行なうようになっている。
【００３０】
また、回転軸１５の回動支点、すなわち軸孔１７ａの中心から第１係止部１７ｃまでの距離が、軸孔１７ａの中心から接点駆動部１７ｄの先端までの距離よりも長くなるように形成されている。
このように、てこの原理を利用することにより、接点へ加わる接触圧を、捻りコイルばね１９が付勢するばね圧に比べて大きく設定することができるものとなっている。
【００３１】
第２の回転板１８は、同じく合成樹脂などの絶縁材から略Ｌ字状に形成されており、この第２の回転板１８の中央には、同じく前記回転軸１５に回動可能に挿通される軸孔１８ａが設けられている。この軸孔１８ａを挟んだ一方には平板状の基板部１８ｂが設けられ、同じくこの基板部１８ｂの先端側には後述する捻りコイルばね１９が遊動可能に係止される第２係止部１８ｃが設けられている。
【００３２】
また、軸孔１８ａを挟んで基板部１８ｂの延設方向と直交する方向には、細長状のアーム部１８ｄが形成されており、このアーム部１８ｄに前記揺動部材１１の他端側に設けられたバイメタル片１３の略Ｊ字状に屈曲された先端が係合されている。前記揺動部材１１の回動に伴ってバイメタル片１３に係合された第２の回転板１８が回動されるようになっている。
【００３３】
前記第１及び第２の回転板１７、１８は、互いの軸孔１７ａ、１８ａが前記回転軸１５の基部１５ａに回動可能に挿通されて前記収納部１ａ内に収容されている。また、それぞれの基板部１７ｂ、１８ｂの先端側に設けられた、それぞれの第１及び第２係止部１７ｃ、１８ｃには、ばね性を有する金属線材などで両端に弾性腕部を有するコイル状の捻りコイルばね１９が遊動可能に係止されている。
【００３４】
カバー２０は、金属材で形成されており、平板状の上板部２０ａと、この上板部２０ａの対向する一方の側面から下方に延出して設けられた取付け片２０ｂを有する一対の取付け板部２０ｃが設けられている。また、上板部２０ａには、操作軸１６が挿通される挿通孔２０ｄが設けられている。このカバー２０がケース１の開口部上に装着される際に、前記取付け片２０ｂが、ケース１の取付け溝１ｂに係合されて抜け止めされるものとなる。
【００３５】
次に、上記構成のスイッチ装置の動作を、図３乃至図９を用いて説明する。
まず、図３に示す初期の状態では、回転軸１５は回動されず、第１のスイッチ部と第２のスイッチ部のそれぞれの接点板２、３、４は動作されず離間されてオフ状態を維持している。
【００３６】
次に、図４に示すように、操作軸１６が図示しない操作つまみの回転動作により回動されると、回転軸１５も連動して回動する。この時、回転軸１５のカム部１５ｂに設けられたカム面１５ｄの凸部に係止されていた揺動部材１１の駆動板部１２が、カム面１５ｄの凹部に移動し、支持端子１０を支点として反時計方向に回動されることにより、他端側に設けられたバイメタル片１３も反時計方向へ回動する。そして、バイメタル片１３の略Ｊ字状の先端に係合された第２の回転板１８の細長状のアーム部１８ｄが、バイメタル片１３の回動に伴って同じく反時計方向へ回動されることになる。
【００３７】
この時、第２の回転板１８の、軸孔１８ａを挟んだ一方側の基板部１８ｂの先端側の第２係止部１８ｃに、遊動可能に係止された捻りコイルばね１９の一方の弾性腕部も、第２係止部１８ｃの中を遊動しながら圧縮されていき、捻りコイルばね１９の張力上の反転ポイント（死点）、すなわち、他方の弾性腕部が第１の回転板１７の第１係止部１７ｃに係止されている位置とが交差する点、を超えた時に、捻りコイルばね１９が反転して、第１の回転板１７が回転軸１５を軸として時計方向に回動する。
【００３８】
そして、第１の回転板１７が、第２の回転板１８の回動に連動して回動する時に、第１の回転板１７の接点駆動部１７ｄの先端が、第１のスイッチ部を構成する接点板２を押圧して、この接点板２のばね圧に抗して、接点板２に対向して配設された接点板３と接触させることにより、第１のスイッチ部がオン状態となる。
この時、接点板２及び３は可撓性を有する薄板の金属板で形成されており、自らがばね性を有しているので、接点の切り換え時にはこれらの接点板２、３が撓むので、衝撃を緩和して切り換え時の音を静音化することができる。
【００３９】
また、回転軸１５の回動により、図示しないカム部によって、第２のスイッチ部を構成している接点板４も押圧されることになり、接点板４と端子部７及び８が接触するものとなり、同時に第２のスイッチ部がオン状態となる。
この回転軸１５の回動動作によって、第１及び第２ののスイッチ部が電気的に導通され、電子機器の回路がオンされるものとなる。すなわち、上記構成から分かるように、本スイッチ装置の回路構成は、電子機器側の負荷と完全に電気的に遮断する、ダブルライン構成となっている。
【００４０】
このように、前記捻りコイルばね１９を第１及び第２の回転板１７、１８の第１及び第２係止部１７ｃ、１８ｃに遊びを持たせた状態で係合し、第１の回転板１７が回動する際に、捻りコイルばね１９が第１及び第２係止部１７ｃ、１８ｃ内で遊動することにより捻りコイルばね１９が反転動作を行なうようにしたことから、捻りコイルばね１９の張力上の反転ポイント（死点）を超えた時に、捻りコイルばね１９が第１及び第２係止部１７ｃ、１８ｃ内を自走して、捻りコイルばね１９の作用方向が逆になるため、反転動作を確実に行なえ、接点の切り換えを瞬時に行なうことができるものとなっている。
尚、上記したような捻りコイルばね１９による反転動作は、第１及び第２係止部１７ｃ、１８ｃとの係合が設計上のクリアランスのみで自走できるスペースを設けなくても行なえることは言うまでもない。
【００４１】
スイッチ装置がオン状態、すなわち、図４の状態では、接点板２と３、及び接点板４を介して、ヒーター１４に電流が通電された状態となっており、第１及び第２のスイッチ部がオン状態の間、ヒーター１４が加熱されるものとなる。
この状態で、ヒーター１４がある所定の温度に達すると、図５に示すように、ヒーター１４に一体的に取付けられたバイメタル片１３が熱によって図示右側、すなわち、時計方向へ変位し、バイメタル片１３の先端に係合された、第２の回転板１８のアーム部１８ｄが時計方向へ回動されるものとなる。
【００４２】
このバイメタル片１３の熱による変位の状態を、図６乃至図９に示している。図６及び７はバイメタル片１３が変位して第２の回転板１８が時計方向に回動され、捻りコイルばね１９が反転ポイント（死点）に達する直前の状態を示している。また、図８及び９はバイメタル片１３が変位して第２の回転板１８が時計方向に回動され、捻りコイルばね１９が反転した直後の状態を示している。
【００４３】
この状態から、捻りコイルばね１９が反転して、第１の回転板１７が回転軸１５を軸として反時計方向に回動するものとなる。
そして、第１の回転板１７が、第２の回転板１８の回動に連動して回動する時に、第１の回転板１７の接点駆動部１７ｄの先端が、第１のスイッチ部を構成する接点板２の押圧を解除して、この接点板２のばね圧によって、接点板２が接点板３と離間することとなり、第１のスイッチ部がオフ状態となる（図５）。
尚、この状態では接点板４と端子板７、８の導通は保持されており第２のスイッチ部はオン状態となっている。
【００４４】
この状態から、ヒーター１４の温度が下がり、バイメタル片１３が基の状態に復帰すると、図４に示すように、バイメタル片１３の反時計方向への回動に伴って、第２の回転板１８も反時計方向へ回動され、この第２の回転板１８の回動に連動して、捻りコイルばね１９の反転動作によって、第１の回転板１７が時計方向へ回動することで、第１の回転板１７の接点駆動部１７ｄの先端が、接点板２を押圧して、再び、接点板２に対向して配設された接点板３と接触させることにより、第１のスイッチ部がオン状態になるものとなる。
【００４５】
このように、上記構成のスイッチ装置は、外部電子機器、例えば電気コンロ等のヒーターを出力制御するのに最適なものとなっている。
【００４６】
上記した本発明のスイッチ装置の構成によれば、操作軸１６が操作された時、回転軸１５の回動に伴ってバイメタル片１３が第２の回転板１８を介して第１の回転板１７を回動させて一対の接点板２、３をオンさせると共に、ヒーター１４が過熱されて所定の温度に達した時には、バイメタル片１３が変位することにより第２の回転板１８を介して第１の回転板１７を回動させてオン状態の一対の接点板２、３をオフさせるスイッチ装置であって、第１の回転板１７と第２の回転板１８を、反転用の捻りコイルばね１９で連動可能に連結させ、第１の回転板１７を回動させる際に、捻りコイルばね１９の反転力によって接点駆動部１７ｄを接点板２と瞬発的に係脱させるようにしたことから、接点の切り換わり時には接点板２を駆動する第１の回転板１７が捻りコイルばね１９の反転力によって瞬時に回動するので、アークの発生が抑えられ、反転する際、接点に常に高い接触圧を加えることができるため、バウンスを小さくすることができ、接点の消耗などを抑制し負荷寿命特性に優れたスイッチ装置を提供できるものとなっている。
【図面の簡単な説明】
【００４７】
【図１】本発明のスイッチ装置を示す分解斜視図である。
【図２】本発明のスイッチ装置を示す要部の斜視図である。
【図３】本発明のスイッチ装置のオフ時を示す要部平面図である。
【図４】本発明のスイッチ装置のオン時を示す要部平面図である。
【図５】本発明のスイッチ装置のターンオフ時を示す要部平面図である。
【図６】本発明のスイッチ装置のオン時からターンオフ時に移行する過程で捻りコイルばねが反転する直前を示す動作説明図である。
【図７】本発明のスイッチ装置のオン時からターンオフ時に移行する過程で捻りコイルばねが反転する直前を示す動作説明図である。
【図８】本発明のスイッチ装置のオン時からターンオフ時に移行する過程で捻りコイルばねが反転した直後を示す動作説明図である。
【図９】本発明のスイッチ装置のオン時からターンオフ時に移行する過程で捻りコイルばねが反転した直後を示す動作説明図である。
【図１０】本発明のスイッチ装置の裏面側から見た斜視図である。
【図１１】本発明のスイッチ装置の裏面側から見た斜視図である。
【図１２】従来のスイッチ装置の内部を示す平面図である。
【図１３】従来のスイッチ装置の要部を示す部分詳細図である。
【符号の説明】
【００４８】
１：ケース
１ａ：収納部
１ｂ：取付け溝
１ｃ：ホルダ部
２：接点板
３：接点板
４：接点板
５：端子板
５ａ：外部端子
６：端子板
６ａ：外部端子
７：端子板
７ａ：外部端子
８：端子板
８ａ：外部端子
９：端子板
９ａ：外部端子
１０：支持端子
１１：揺動部材
１２：駆動板部
１３：バイメタル片
１４：ヒーター
１５：回転軸
１５ａ：基部
１５ｂ：カム部
１５ｃ：係合溝部
１５ｄ：カム面
１６：操作軸
１７：第１の回転板
１７ａ：軸孔
１７ｂ：基板部
１７ｃ：第１係止部
１７ｄ：接点駆動部
１８：第２の回転板
１８ａ：軸孔
１８ｂ：基板部
１８ｃ：第２係止部
１８ｄ：アーム部
１９：捻りコイルばね
２０：カバー
２０ａ：上板部
２０ｂ：取付け片
２０ｃ：取付け板部
２０ｄ：挿通孔
【図１】
2005116345.tif 000003
【図２】
2005116345.tif 000004
【図３】
2005116345.tif 000005
【図４】
2005116345.tif 000006
【図５】
2005116345.tif 000007
【図６】
2005116345.tif 000008
【図７】
2005116345.tif 000009
【図８】
2005116345.tif 000010
【図９】
2005116345.tif 000011
【図１０】
2005116345.tif 000012
【図１１】
2005116345.tif 000013
【図１２】
2005116345.tif 000014
【図１３】
2005116345.tif 000015